(57)【要約】【課題】本発明はゴミ分別可能なゴミ箱を開示した。【解決手段】右踏み板を踏みつけることによりＴ型スライドプレートを連動して下へ移動させ、Ｔ型スライドプレートが噛み合いにより右噛合ホイールを連動して回転させ、右踏み板を緩めた後、右踏み板ばねの作用により右踏み板が元の位置に戻り、右噛合ホイールが噛み合いによりラックスライドプレートを連動して回転させ、二つのゴミ箱を設置することにより、異なるタイプのゴミを捨てられ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、リモコンによりコントロールできる。【選択図】図１
2020172395.tif 000002
【特許請求の範囲】
【請求項１】
ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降部品と前記カバープレートをコントロールして回転させる糸巻き部品を含み、前記昇降部品は昇降スライドプレートと、ラックスライドプレートを含み、また前記ラックスライドプレートをコントロールしてスライドさせる右噛合ホイールを含み、前記糸巻き部品は引き線と、上糸巻きホイールと、右糸巻きホイールを含み、前記ベースの右側にある突き出るところには右踏みつけ区域が設置され、右踏みつけ区域は右踏み板と、Ｔ型スライドプレートを含み、前記Ｔ型スライドプレートは右噛合ホイールと右糸巻きホイールの回転をコントロールでき、それによって前記昇降部品と前記糸巻き部品の回転をコントロールし、前記箱空間の左側には二つの単向吸気部品が設置され、左側にある前記単向吸気部品は空気の入り込みをコントロールし、右側にある前記単向吸気部品は空気の放出をコントロールし、前記単向吸気部品はスライドビードを含み、前記ベースの左側にある二つの対称の突き出るところには左踏みつけ区域が設置され、前記左踏みつけ区域は左踏み板と、ピストンロッドを含み、前記ピストンロッドの頂部端面にはピストンが固定的に装着され、前記ピストンは前記左踏みつけ区域を通じて前記単向吸気部品をコントロールして空気の入り込むことと放出することを行わせ、ゴミ分別可能なゴミ箱はまた同調回転部品を含み、前記同調回転部品はリモコンを含み、リモコンを通じて本発明の作動をコントロールすることを特徴とするゴミ分別可能なゴミ箱。
【請求項２】
前記ボディーケースはベースを含み、前記ベースの中には箱空間が前後対称になるように設置され、前記箱空間の内壁の間にはゴミ箱が固定的に装着され、前記箱ゴミの外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、それによりカバープレートを開けられ、前側にあるゴミ箱にリサイクル可能なゴミを入れ、後側にあるゴミ箱にリサイクルできないゴミを入れ、
前記昇降部品は前後二つの前記箱空間の間に位置する右噛合空間を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着され、それにより右噛合ホイールが回転している時にラックスライドプレートを連動して移動させ、ラックスライドプレートは噛み合いにより左噛合ホイールと左回転軸を連動して回転させ、左噛合ホイールは噛み合いにより昇降スライドプレートを連動して上へ移動させ、昇降スライドプレートは連結ブロックとカバープレートを連動して上へ移動させることを特徴とする請求項１に記載のゴミ分別可能なゴミ箱。
【請求項３】
前記右踏みつけ区域は前記ベースの右側の突き出るところに位置する右踏み板溝を含み、前記右踏み板溝の左側壁の中には前記スライド空間と連通するリミット溝が設置され、前記リミット溝の中にはＴ型スライドプレートがスライドできるように装着され、前記Ｔ型スライドプレートの左側が左糸巻きホイールと噛み合い、前記Ｔ型スライドプレートの右側端面には前記右踏み板溝の中でスライドできる右踏み板が固定的に装着され、前記右踏み板の底部端面と前記右踏み板溝の底壁との間には右踏み板ばねが固定的に装着され、それにより右踏み板を踏みつける時にＴ型スライドプレートを連動して下へ移動させ、Ｔ型スライドプレートが右噛合ホイールを連動して回転させ、右踏み板を緩めた後、右踏み板ばねの作用により右踏み板が元の位置に戻り、
前記左踏みつけ区域は左側にある二つの突き出るところに位置する左踏み板溝を含み、前記左踏み板溝の右側壁の中には踏み板軸が設置され、前記左踏み板溝の中には左踏み板がスライドできるように装着され、前記左踏み板の右側端面には前記踏み板軸とスライドできるように装着されるピストンロッドが固定的に装着され、前記踏み板軸の下側にはピストン空間が連通するように設置され、前記踏み板軸の底部端面には前記ピストン空間の中でスライドできるピストンが固定的に装着され、前記左踏み板の底部端面と前記左踏み板溝の底壁との間には左踏み板ばねが固定的に装着され、それにより左踏み板を踏みつけてピストンロッドとピストンを連動して下へ移動させ、左踏み板を緩めた後に左踏み板ばねの作用により左踏み板が元の位置に戻ることを特徴とする請求項１に記載のゴミ分別可能なゴミ箱。
【請求項４】
前記糸巻き部品は前記右噛合空間の前後両側に設置される四つの右糸巻き空間を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールを回避した後に上へ伸びて前記上糸巻きホイールと固定的に巻き付き、それにより右噛合ホイールが回転して右回転軸を連動して回転させる時に右糸巻きホイールを連動して同調に回転させ、右糸巻きホイールに引き線が巻き付くことは始まり、引き線を引っ張った後に上糸巻き空間の中の引き線を引き動かし、上糸巻き軸を連動して回転させ、上糸巻き軸の回転がカバープレートを連動して反転させることを特徴とする請求項１に記載のゴミ分別可能なゴミ箱。
【請求項５】
前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がリモコンと連結され、それによりリモコンを利用して第二電磁石の通電と停電をコントロールでき、第二電磁石が通電している時に鉄片を吸着でき、カバープレートの上昇と反転に従って、第一電磁石の通電する方向をコントロールし、それにより第一電磁石がお互いに吸着し、または排斥し、前記第一電磁石はお互いに排斥する時に両側のソケットスライドブロックをソケット角溝の中にプッシュして入らせ、それにより同調ブロックと袋推し輪とがカバープレートに従って上昇また反転することができ、
前記単向吸気部品は第一通気溝を含み、前記第一通気溝の片側の内壁にはスライドビード溝が連通するように設置され、前記スライドビード溝の中にはスライドビードがスライドできるように装着され、前記スライドビード溝のもう一つの片側の内壁には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気部品の第二通気溝が前記ピストン空間と連通し、前記第一通気溝と前記箱空間とが連通し、前記ピストン空間の下方にある前記単向吸気部品の第一通気溝が前記ピストン空間と連通し、前記第二通気溝が前記ベースの底部端面を貫通し、それによりピストンが下へ移動する時に右側にあるスライドビードはスライドビードばねの作用により第一通気溝の開口部と密着し、ピストン空間の中の気圧が下方にあるスライドビードを下へ推し、ピストン空間の空気がスライド溝から通気空間の中に入った後第二通気溝に入り、それから第二通気溝からベースの外部に排出され、ピストンが上へ移動する時に、ピストン空間の低気圧の作用により下方にあるスライドビードは第一通気溝の開口部と密着し、右側にあるスライドビードは左へ押され、箱空間の中の空気は右側の第一通気溝からピストン空間の中に入ることを特徴とする請求項１に記載のゴミ分別可能なゴミ箱。
【発明の詳細な説明】
【技術分野】
【０００１】
本発明はゴミ箱の分野に関わり、具体的にはゴミ分別可能なゴミ箱である。
【背景技術】
【０００２】
人間の環境保護意識の強まりと持続可能発展の戦略の実施に伴って、ゴミ分別を行うことが普及され、ゴミを便利に分別するにはゴミ捨てのところにリサイクル可能なゴミのゴミ箱とリサイクルできないゴミのゴミ箱の二種類のゴミ箱を置く必要があり、ただし家の中にゴミを分別するには二つのゴミ箱を必要とし、近いところに置くとゴミを誤って捨てやすく、離れて置くとゴミを捨てることに不便であり、ゴミを捨てるときに、ゴミ袋がゴミに外されやすく、またはゴミ箱の内壁との密着が足りなくて傷つきやすく、その同時にゴミを捨てるときにゴミはゴミの開口部と接触しやすくて、一部分はゴミ袋に付き、そのためゴミ袋を取り出すときにゴミが手に付き、数多くの人にとって、困ることであり、この問題を解決するために、ゴミ分別可能なゴミ箱は必要となる。
【先行技術文献】
【特許文献】
【０００３】
【特許文献１】中国特許出願公開第１０４８４３３９０号明細書
【発明の概要】
【発明が解決しようとする課題】
【０００４】
本発明の目的はゴミ分別可能なゴミ箱を提供して、既存の技術の中の上記問題を解決できる。
【課題を解決するための手段】
【０００５】
本発明の実施例のゴミ分別可能なゴミ箱は、ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降部品と前記カバープレートをコントロールして回転させる糸巻き部品を含み、前記昇降部品は昇降スライドプレートと、ラックスライドプレートを含み、また前記ラックスライドプレートをコントロールしてスライドさせる右噛合ホイールを含み、前記糸巻き部品は引き線と、上糸巻きホイールと、右糸巻きホイールを含み、前記ベースの右側にある突き出るところには右踏みつけ区域が設置され、右踏みつけ区域は右踏み板と、Ｔ型スライドプレートを含み、前記Ｔ型スライドプレートは右噛合ホイールと右糸巻きホイールの回転をコントロールでき、それによって前記昇降部品と前記糸巻き部品の回転をコントロールし、前記箱空間の左側には二つの単向吸気部品が設置され、左側にある前記単向吸気部品は空気の入り込みをコントロールし、右側にある前記単向吸気部品は空気の放出をコントロールし、前記単向吸気部品はスライドビードを含み、前記ベースの左側にある二つの対称の突き出るところには左踏みつけ区域が設置され、前記左踏みつけ区域は左踏み板と、ピストンロッドを含み、前記ピストンロッドの頂部端面にはピストンが固定的に装着され、前記ピストンは前記左踏みつけ区域を通じて前記単向吸気部品をコントロールして空気の入り込むことと放出することを行わせ、ゴミ分別可能なゴミ箱はまた同調回転部品を含み、前記同調回転部品はリモコンを含み、リモコンを通じて本発明の作動をコントロールする。
【０００６】
更に、前記ボディーケースはベースを含み、前記ベースの中には箱空間が前後対称になるように設置され、前記箱空間の内壁の間にはゴミ箱が固定的に装着され、前記箱ゴミの外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、前記昇降部品は前後二つの前記箱空間の間に位置する右噛合空間を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着される。
【０００７】
更に、前記右踏みつけ区域は前記ベースの右側の突き出るところに位置する右踏み板溝を含み、前記右踏み板溝の左側壁の中には前記スライド空間と連通するリミット溝が設置され、前記リミット溝の中にはＴ型スライドプレートがスライドできるように装着され、前記Ｔ型スライドプレートの左側が左糸巻きホイールと噛み合い、前記Ｔ型スライドプレートの右側端面には前記右踏み板溝の中でスライドできる右踏み板が固定的に装着され、前記右踏み板の底部端面と前記右踏み板溝の底壁との間には右踏み板ばねが固定的に装着され、
前記左踏みつけ区域は左側にある二つの突き出るところに位置する左踏み板溝を含み、前記左踏み板溝の右側壁の中には踏み板軸が設置され、前記左踏み板溝の中には左踏み板がスライドできるように装着され、前記左踏み板の右側端面には前記踏み板軸とスライドできるように装着されるピストンロッドが固定的に装着され、前記踏み板軸の下側にはピストン空間が連通するように設置され、前記踏み板軸の底部端面には前記ピストン空間の中でスライドできるピストンが固定的に装着され、前記左踏み板の底部端面と前記左踏み板溝の底壁との間には左踏み板ばねが固定的に装着される。
【０００８】
更に、前記糸巻き部品は前記右噛合空間の前後両側に設置される四つの右糸巻き空間を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールを回避した後に上へ伸びて前記上糸巻きホイールと固定的に巻き付く。
【０００９】
更に、前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がリモコンと連結され、
前記単向吸気部品は第一通気溝を含み、前記第一通気溝の片側の内壁にはスライドビード溝が連通するように設置され、前記スライドビード溝の中にはスライドビードがスライドできるように装着され、前記スライドビード溝のもう一つの片側の内壁には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気部品の第二通気溝が前記ピストン空間と連通し、前記第一通気溝と前記箱空間とが連通し、前記ピストン空間の下方にある前記単向吸気部品の第一通気溝が前記ピストン空間と連通し、前記第二通気溝が前記ベースの底部端面を貫通する。
【発明の効果】
【００１０】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、リモコンによりコントロールでき、ゴミ袋の開口を上へプッシュすると、ゴミ袋を取り出す時にゴミと接触しなく、普及する価値がある。
【図面の簡単な説明】
【００１１】
【図１】図１は本発明の総体構造概略図
【図２】図２は図１の中のＡ方向の上面図
【図３】図３は図１の中のＢ−Ｂ方向の断面構造概略図
【図４】図４は図１の中のＣ−Ｃ方向の断面構造概略図
【図５】図５は図１の中のＤのところの拡大概略図
【図６】図６は図２の中のＥ−Ｅ方向の断面概略図
【図７】図７は図３の中のＦのところの拡大概略図
【発明を実施するための形態】
【００１２】
下記に図１−７を合わせて本発明に対して詳しく説明し、意思の疎通がもっと便利になるように、下記に記載した上下左右前後の方向と図１の自身の投影関係の上下左右前後の方向とは一致している。
【００１３】
図１−７を参照して、本発明の実施例のゴミ分別可能なゴミ箱は、ボディーケース１０１を含み、前記ボディーケース１０１はベース１２と、カバープレート１５を含み、また箱空間１６と、前記箱空間１６の中に固定的に装着されるゴミ箱１７を含み、また前記カバープレート１５をコントロールして上下へ移動させる昇降部品１０２と前記カバープレート１５をコントロールして回転させる糸巻き部品１０３を含み、前記昇降部品１０２は昇降スライドプレート１３と、ラックスライドプレート２４を含み、また前記ラックスライドプレート２４をコントロールしてスライドさせる右噛合ホイール２６を含み、前記糸巻き部品１０３は引き線４０と、上糸巻きホイール７１と、右糸巻きホイール３７を含み、前記ベース１２の右側にある突き出るところには右踏みつけ区域１０４が設置され、右踏みつけ区域１０４は右踏み板３２と、Ｔ型スライドプレート３０を含み、前記Ｔ型スライドプレート３０は右噛合ホイール２６と右糸巻きホイール３７の回転をコントロールでき、それによって前記昇降部品１０２と前記糸巻き部品１０３の回転をコントロールし、前記箱空間１６の左側には二つの単向吸気部品１０５が設置され、左側にある前記単向吸気部品１０５は空気の入り込みをコントロールし、右側にある前記単向吸気部品１０５は空気の放出をコントロールし、前記単向吸気部品１０５はスライドビード５３を含み、前記ベース１２の左側にある二つの対称の突き出るところには左踏みつけ区域１０６が設置され、前記左踏みつけ区域１０６は左踏み板４６と、ピストンロッド４８を含み、前記ピストンロッド４８の頂部端面にはピストン５０が固定的に装着され、前記ピストン５０は前記左踏みつけ区域１０６を通じて前記単向吸気部品１０５をコントロールして空気の入り込むことと放出することを行わせ、ゴミ分別可能なゴミ箱はまた同調回転部品１０７を含み、前記同調回転部品１０７はリモコン１０を含み、リモコン１０を通じて本発明の作動をコントロールする。
【００１４】
有益なまたは示しているように、前記ボディーケース１０１はベース１２を含み、前記ベース１２の中には箱空間１６が前後対称になるように設置され、前記箱空間１６の内壁の間にはゴミ箱１７が固定的に装着され、前記箱ゴミ１７の外側には袋推し輪４４が掛けられ、前記袋推し輪４４の外側には袋押し輪４３が掛けられ、前記ベース１２の頂部端面には連結ブロック１４が挿入連結し装着され、前記連結ブロック１４の中には前記箱空間１６を封鎖するカバープレート１５がヒンジで連結し装着され、それによりカバープレート１５を開けられ、前側にあるゴミ箱１７にリサイクル可能なゴミを入れ、後側にあるゴミ箱１７にリサイクルできないゴミを入れ、
前記昇降部品１０２は前後二つの前記箱空間１６の間に位置する右噛合空間２５を含み、前記右噛合空間２５の前後内壁の間には右回転軸２７が回転できるように装着され、前記右回転軸２７には右噛合ホイール２６が固定的に装着され、前記右噛合空間２５の左側には左噛合空間２１が設置され、前記左噛合空間２１の前後内壁の間には左回転軸２３が回転できるように装着され、前記左回転軸２３には左噛合ホイール２２が固定的に装着され、前記左噛合空間２１と前記右噛合空間２５の間にはスライド空間２０が連通するように設置され、前記スライド空間２０の中には前記左噛合ホイール２２と前記右噛合ホイール２６と噛み合うラックスライドプレート２４がスライドできるように装着され、前記スライド空間２０の左端頂壁には昇降スライドプレート溝１８が設置され、前記昇降スライドプレート溝１８の中には前記左噛合ホイール２２と噛み合い、且つ、前記連結ブロック１４の左側端面と固定する昇降スライドプレート１３がスライドできるように装着され、それにより右噛合ホイール２６が回転している時にラックスライドプレート２４を連動して移動させ、ラックスライドプレート２４は噛み合いにより左噛合ホイール２２と左回転軸２３を連動して回転させ、左噛合ホイール２２は噛み合いにより昇降スライドプレート１３を連動して上へ移動させ、昇降スライドプレート１３は連結ブロック１４とカバープレート１５を連動して上へ移動させる。
【００１５】
有益なまたは示しているように、前記右踏みつけ区域１０４は前記ベース１２の右側の突き出るところに位置する右踏み板溝３１を含み、前記右踏み板溝３１の左側壁の中には前記スライド空間２０と連通するリミット溝２８が設置され、前記リミット溝２８の中にはＴ型スライドプレート３０がスライドできるように装着され、前記Ｔ型スライドプレート３０の左側が左糸巻きホイール３６と噛み合い、前記Ｔ型スライドプレート３０の右側端面には前記右踏み板溝３１の中でスライドできる右踏み板３２が固定的に装着され、前記右踏み板３２の底部端面と前記右踏み板溝３１の底壁との間には右踏み板ばね３３が固定的に装着され、それにより右踏み板３２を踏みつける時にＴ型スライドプレート３０を連動して下へ移動させ、Ｔ型スライドプレート３０が右噛合ホイール２６を連動して回転させ、右踏み板３２を緩めた後、右踏み板ばね３３の作用により右踏み板３２が元の位置に戻り、
前記左踏みつけ区域１０６は左側にある二つの突き出るところに位置する左踏み板溝４５を含み、前記左踏み板溝４５の右側壁の中には踏み板軸３９が設置され、前記左踏み板溝４５の中には左踏み板４６がスライドできるように装着され、前記左踏み板４６の右側端面には前記踏み板軸３９とスライドできるように装着されるピストンロッド４８が固定的に装着され、前記踏み板軸３９の下側にはピストン空間５１が連通するように設置され、前記踏み板軸３９の底部端面には前記ピストン空間５１の中でスライドできるピストン５０が固定的に装着され、前記左踏み板４６の底部端面と前記左踏み板溝４５の底壁との間には左踏み板ばね４７が固定的に装着され、それにより左踏み板４６を踏みつけてピストンロッド４８とピストン５０を連動して下へ移動させ、左踏み板４６を緩めた後に左踏み板ばね４７の作用により左踏み板４６が元の位置に戻る。
【００１６】
有益なまたは示しているように、前記糸巻き部品１０３は前記右噛合空間２５の前後両側に設置される四つの右糸巻き空間３８を含み、前記右回転軸２７が前記右糸巻き空間３８の内壁と回転できるように装着され、前記右回転軸２７には右糸巻きホイール３７が固定的に装着され、前記左噛合空間２１の前後両側には四つの左糸巻き空間３４が設置され、前記左回転軸２３が前後へ伸びて前後の前記左糸巻き空間３４の内壁と回転できるように装着され、前記左回転軸２３のうち前記左糸巻き空間３４の中に位置するところには糸巻きサブホイール３５が固定的に設置され、前記糸巻きサブホイール３５には左糸巻きホイール３６が回転できるように装着され、前記カバープレート１５の中には四つの上糸巻き空間６８が設置され、前記上糸巻き空間６８の前後端壁の間には上糸巻き軸７０が固定的に装着され、前記上糸巻き軸７０には上糸巻きホイール７１が固定的に装着され、前記右糸巻きホイール３７には引き線４０が固定的に巻き付き、前記引き線４０が前記左糸巻き空間３４の中に入って前記左糸巻きホイール３６を回避した後に上へ伸びて前記上糸巻きホイール７１と固定的に巻き付き、それにより右噛合ホイール２６が回転して右回転軸２７を連動して回転させる時に右糸巻きホイール３７を連動して同調に回転させ、右糸巻きホイール３７に引き線４０が巻き付くことは始まり、引き線４０を引っ張った後に上糸巻き空間６８の中の引き線４０を引き動かし、上糸巻き軸７０を連動して回転させ、上糸巻き軸７０の回転がカバープレート１５を連動して反転させる。
【００１７】
有益なまたは示しているように、前記同調回転部品１０７は前記袋推し輪４４の左側端面に固定的に装着される同調ブロック５８を含み、前記カバープレート１５のうち前記上糸巻き空間６８の間に位置するところには同調溝６７が設置され、前記同調溝６７の前後内壁の間にはソケット角溝６６が設置され、前記同調ブロック５８の中には前後を貫通するスライド角溝６５が設置され、前記スライド角溝６５の中には二つの、前記ソケット角溝６６と挿入連結できるソケットスライドブロック６３がスライドできるように装着され、前後両側の前記ソケットスライドブロック６３の相対側の端面には第一電磁石６４が固定的に装着され、前記スライド角溝６５の右側には二つの前後対称であるリミットスライド溝６０が連通するように設置され、前記ソケットスライドブロック６３の右側端面には前記リミットスライド溝６０とスライドできるように装着されるリミットスライドブロック６１が固定的に装着され、前記リミットスライドブロック６１と前記リミットスライド溝６０の内壁との間には位置戻しばね６２が固定的に装着され、前記カバープレート１５の底部端面の中には三つの第二電磁石４１が設置され、前記袋押し輪４３の頂部端面の中には三つの、前記第二電磁石４１と吸着できる鉄片４２が設置され、前記ベース１２には電線１１が設置され、前記電線１１の端部がリモコン１０と連結され、それによりリモコン１０を利用して第二電磁石４１の通電と停電をコントロールでき、第二電磁石４１が通電している時に鉄片４２を吸着でき、カバープレート１５の上昇と反転に従って、第一電磁石６４の通電する方向をコントロールし、それにより第一電磁石６４がお互いに吸着し、または排斥し、前記第一電磁石６４はお互いに排斥する時に両側のソケットスライドブロック６３をソケット角溝６６の中にプッシュして入らせ、それにより同調ブロック５８と袋推し輪４４とがカバープレート１５に従って上昇また反転することができ、
前記単向吸気部品１０５は第一通気溝５２を含み、前記第一通気溝５２の片側の内壁にはスライドビード溝５４が連通するように設置され、前記スライドビード溝５４の中にはスライドビード５３がスライドできるように装着され、前記スライドビード溝５４のもう一つの片側の内壁には通気空間５５が連通するように設置され、前記スライドビード５３と前記通気空間５５の内壁との間にはスライドビードばね５７が固定的に装着され、前記通気空間５５のもう一つの片側の内壁には二つの、対称である第二通気溝５６が連通するように設置され、前記ピストン空間５１の右側の前記単向吸気部品１０５の第二通気溝５６が前記ピストン空間５１と連通し、前記第一通気溝５２と前記箱空間１６とが連通し、前記ピストン空間５１の下方にある前記単向吸気部品１０５の第一通気溝５２が前記ピストン空間５１と連通し、前記第二通気溝５６が前記ベース１２の底部端面を貫通し、それによりピストン５０が下へ移動する時に右側にあるスライドビード５３はスライドビードばね５７の作用により第一通気溝５２の開口部と密着し、ピストン空間５１の中の気圧が下方にあるスライドビード５３を下へ推し、ピストン空間５１の空気がスライド溝５４から通気空間５５の中に入った後第二通気溝５６に入り、それから第二通気溝５６からベース１２の外部に排出され、ピストン５０が上へ移動する時に、ピストン空間５１の低気圧の作用により下方にあるスライドビード５３は第一通気溝５２の開口部と密着し、右側にあるスライドビード５３は左へ押され、箱空間１６の中の空気は右側の第一通気溝５２からピストン空間５１の中に入る。
【００１８】
使用する時、右踏み板３２を踏みつける時にＴ型スライドプレート３０が下へ移動し、Ｔ型スライドプレート３０が噛み合いにより右噛合ホイール２６を連動して回転させ、右踏み板３２を緩めた後に右踏み板ばね３３の作用により右踏み板３２が元の位置に戻り、右噛合ホイール２６が噛み合いによりラックスライドプレート２４を連動して移動させ、ラックスライドプレート２４が噛み合いにより左噛合ホイール２２と左回転軸２３を連動して回転させ、左噛合ホイール２２が噛み合いにより昇降スライドプレート１３を連動して上へ移動させ、昇降スライドプレート１３が連結ブロック１４とカバープレート１５を連動して上へ移動させ、右噛合ホイール２６が右回転軸２７を連動して回転させる同時に、右糸巻きホイール３７を連動して同調に回転させ、右糸巻きホイール３７に引き線が巻き付くことが始まり、引き線４０を強く張った後に上糸巻き空間６８の中の引き線４０を引き動かし、上糸巻き軸７０を連動して回転させ、上糸巻き軸７０が回転してカバープレート１５を連動して反転させ、カバープレート１５を開け、前側にあるゴミ箱１７の中にリサイクル可能なゴミを入れ、後側にあるゴミ箱１７の中にリサイクルできないゴミを入れる。
【００１９】
ゴミ袋を取り出すことが必要となる時に、リモコン１０を利用して第二電磁石４１と、第一電磁石６４の通電と停電また通電する方向をコントロールし、第二電磁石４１が通電する時に、鉄片４２を吸着でき、第一電磁石６４の通電する方向をコントロールし、前記第一電磁石６４の互いの排斥は両側のソケットスライドブロック６３をソケット角溝６６の中にプッシュして入らせ、それにより同調ブロック５８と袋推し輪４４とがカバープレート１５に従って上昇と反転でき、袋押し輪４３もカバープレート１５に従って上昇と反転し、ゴミ袋の開口を上へ反転し、手が汚れないようにゴミ袋を取り出せる。
【００２０】
ゴミ袋を入れる時に、袋押し輪４３を反転し、それからゴミ袋を箱空間１６の中に入れ、ゴミ袋の開口を広げて袋推し輪４４に覆い、カバープレート１５と袋押し輪４３を覆い、左踏み板４６を踏みつけてピストンロッド４８とピストン５０を連動して下へ移動させ、左踏み板４６から外した後に左踏み板ばね４７の作用により左踏み板４６が元の位置に戻り、ピストン５０が下へ移動する時に右側のスライドビード５３はスライドビードばね５７の作用により第一通気溝５２の開口部と密着し、ピストン空間５１の中の気圧が下方にあるスライドビード５３を下へプッシュし、ピストン空間５１の空気がスライド溝５４から通気空間５５の中に入った後第二通気溝５６に入り、それから第二通気溝５６からベース１２の外部に排出され、ピストン５０が上へ移動する時に、ピストン空間５１の低気圧の作用により下方にあるスライドビード５３は第一通気溝５２の開口部と密着し、右側にあるスライドビード５３は左へ押され、箱空間１６の中の空間は右側の第一通気溝５２からピストン空間５１の中に入り、ゴミ袋をゴミ箱の内壁に緊密に密着させる。
【００２１】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、リモコンによりコントロールでき、ゴミ袋の開口を上へプッシュすると、ゴミ袋を取り出す時にゴミと接触しなく、普及する価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020172395.tif 000003
【図２】
2020172395.tif 000004
【図３】
2020172395.tif 000005
【図４】
2020172395.tif 000006
【図５】
2020172395.tif 000007
【図６】
2020172395.tif 000008
【図７】
2020172395.tif 000009
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降装置と前記カバープレートをコントロールして回転させる糸巻き装置を含み、前記昇降装置は昇降スライドプレートと、ラックスライドプレートを含み、また前記ラックスライドプレートをコントロールしてスライドさせる右噛合ホイールを含み、前記糸巻き装置は引き線と、上糸巻きホイールと、右糸巻きホイールを含み、前記ベースの右側にある突き出るところには右踏みつけ区域が設置され、右踏みつけ区域は右踏み板と、伝動スライドプレートを含み、前記伝動スライドプレートは右噛合ホイールと右糸巻きホイールの回転をコントロールでき、それによって前記昇降装置と前記糸巻き装置の回転をコントロールし、前記箱空間の左側には二つの単向吸気装置が設置され、左側にある前記単向吸気装置はピストン空間に対し空気の入り込みをコントロールし、右側にある前記単向吸気装置は前記ピストン空間に対し空気の放出をコントロールし、前記単向吸気装置はスライドビードを含み、前記ベースの左側にある二つの対称の突き出るところには左踏みつけ区域が設置され、前記左踏みつけ区域は左踏み板と、ピストンロッドを含み、前記ピストンロッドの底部端面にはピストンが固定的に装着され、前記ピストンは前記左踏みつけ区域を通じて前記単向吸気装置をコントロールして空気の入り込むことと放出することを行わせ、ゴミ分別可能なゴミ箱はまた同調回転部品を含み、前記同調回転部品はコントローラーを含み、コントローラーを通じて本発明の作動をコントロールすることを特徴とするゴミ分別可能なゴミ箱。
【請求項２】
前記ボディーケースはベースを含み、前記ベースの中には箱空間が前後対称になるように設置され、前記箱空間の内壁の間にはゴミ箱が固定的に装着され、前記ゴミ箱の外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、それによりカバープレートを開けられ、前側にあるゴミ箱にリサイクル可能なゴミを入れ、後側にあるゴミ箱にリサイクルできないゴミを入れ、
前記昇降装置は前後二つの前記箱空間の間に位置する右噛合空間を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着され、それにより右噛合ホイールが回転している時にラックスライドプレートを連動して移動させ、ラックスライドプレートは噛み合いにより左噛合ホイールと左回転軸を連動して回転させ、左噛合ホイールは噛み合いにより昇降スライドプレートを連動して上へ移動させ、昇降スライドプレートは連結ブロックとカバープレートを連動して上へ移動させることを特徴とする請求項１に記載のゴミ分別可能なゴミ箱。
【請求項３】
前記右踏みつけ区域は前記ベースの右側の突き出るところに位置する右踏み板溝を含み、前記右踏み板溝の左側壁の中には前記スライド空間と連通するリミット溝が設置され、前記リミット溝の中には伝動スライドプレートがスライドできるように装着され、前記伝動スライドプレートの左側が左糸巻きホイールと噛み合い、前記伝動スライドプレートの右側端面には前記右踏み板溝の中でスライドできる右踏み板が固定的に装着され、前記右踏み板の底部端面と前記右踏み板溝の底壁との間には右踏み板ばねが固定的に装着され、それにより右踏み板を踏みつける時に伝動スライドプレートを連動して下へ移動させ、伝動スライドプレートが右噛合ホイールを連動して回転させ、右踏み板を緩めた後、右踏み板ばねの作用により右踏み板が元の位置に戻り、
前記左踏みつけ区域は左側にある二つの突き出るところに位置する左踏み板溝を含み、前記左踏み板溝の右側壁の中には踏み板軸が設置され、前記左踏み板溝の中には左踏み板がスライドできるように装着され、前記左踏み板の右側端面には前記踏み板軸とスライドできるように装着されるピストンロッドが固定的に装着され、前記踏み板軸の下側には前記ピストン空間が連通するように設置され、前記踏み板軸の底部端面には前記ピストン空間の中でスライドできるピストンが固定的に装着され、前記左踏み板の底部端面と前記左踏み板溝の底壁との間には左踏み板ばねが固定的に装着され、それにより左踏み板を踏みつけてピストンロッドとピストンを連動して下へ移動させ、左踏み板を緩めた後に左踏み板ばねの作用により左踏み板が元の位置に戻ることを特徴とする請求項２に記載のゴミ分別可能なゴミ箱。
【請求項４】
前記糸巻き装置は前記右噛合空間の前後両側に設置される四つの右糸巻き空間を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールに巻き付いた後に上へ伸びて前記上糸巻きホイールと固定的に巻き付き、それにより右噛合ホイールが回転して右回転軸を連動して回転させる時に右糸巻きホイールを連動して同調に回転させ、右糸巻きホイールに引き線が巻き付くことは始まり、引き線を引っ張った後に上糸巻き空間の中の引き線を引き動かし、上糸巻き軸を連動して回転させ、上糸巻き軸の回転がカバープレートを連動して翻転させることを特徴とする請求項３に記載のゴミ分別可能なゴミ箱。
【請求項５】
前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がコントローラーと連結され、それによりコントローラーを利用して第二電磁石の通電と停電をコントロールでき、第二電磁石が通電している時に鉄片を吸着でき、カバープレートの上昇と翻転に従って、第一電磁石の通電する方向をコントロールし、それにより第一電磁石がお互いに吸着し、または排斥し、前記第一電磁石はお互いに排斥する時に両側のソケットスライドブロックをソケット角溝の中にプッシュして入らせ、それにより同調ブロックと袋推し輪とがカバープレートに従って上昇また翻転することができ、
前記単向吸気装置は第一通気溝を含み、前記第一通気溝にはスライドビード溝が連通するように設置され、前記スライドビード溝の中にはスライドビードがスライドできるように装着され、前記スライドビード溝には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気装置の第二通気溝が前記ピストン空間と連通し、前記第一通気溝と前記箱空間とが連通し、前記ピストン空間の下方にある前記単向吸気装置の第一通気溝が前記ピストン空間と連通し、前記第二通気溝が前記ベースの底部端面を貫通し、それによりピストンが下へ移動する時に右側にあるスライドビードはスライドビードばねの作用により第一通気溝の開口部と密着し、ピストン空間の中の気圧が下方にあるスライドビードを下へ推し、ピストン空間の空気がスライドビード溝から通気空間の中に入った後第二通気溝に入り、それから第二通気溝からベースの外部に排出され、ピストンが上へ移動する時に、ピストン空間の低気圧の作用により下方にあるスライドビードは第一通気溝の開口部と密着し、右側にあるスライドビードは左へ押され、箱空間の中の空気は右側の第一通気溝からピストン空間の中に入ることを特徴とする請求項４に記載のゴミ分別可能なゴミ箱。
【手続補正２】
【補正対象書類名】明細書
【補正対象項目名】全文
【補正方法】変更
【補正の内容】
【発明の詳細な説明】
【技術分野】
【０００１】
本発明はゴミ箱の分野に関わり、具体的にはゴミ分別可能なゴミ箱である。
【背景技術】
【０００２】
人間の環境保護意識の強まりと持続可能発展の戦略の実施に伴って、ゴミ分別を行うことが普及され、ゴミを便利に分別するにはゴミ捨てのところにリサイクル可能なゴミのゴミ箱とリサイクルできないゴミのゴミ箱の二種類のゴミ箱を置く必要があり、ただし家の中にゴミを分別するには二つのゴミ箱を必要とし、近いところに置くとゴミを誤って捨てやすく、離れて置くとゴミを捨てることに不便であり、ゴミを捨てるときに、ゴミ袋がゴミに外されやすく、またはゴミ箱の内壁との密着が足りなくて傷つきやすく、その同時にゴミを捨てるときにゴミはゴミの開口部と接触しやすくて、一部分はゴミ袋に付き、そのためゴミ袋を取り出すときにゴミが手に付き、数多くの人にとって、困ることであり、この問題を解決するために、ゴミ分別可能なゴミ箱は必要となる。
【先行技術文献】
【特許文献】
【０００３】
【特許文献１】中国特許出願公開第１０４８４３３９０号明細書
【発明の概要】
【発明が解決しようとする課題】
【０００４】
本発明の目的はゴミ分別可能なゴミ箱を提供して、既存の技術の中の上記問題を解決できる。
【課題を解決するための手段】
【０００５】
本発明の実施例のゴミ分別可能なゴミ箱は、ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降装置と前記カバープレートをコントロールして回転させる糸巻き装置を含み、前記昇降装置は昇降スライドプレートと、ラックスライドプレートを含み、また前記ラックスライドプレートをコントロールしてスライドさせる右噛合ホイールを含み、前記糸巻き装置は引き線と、上糸巻きホイールと、右糸巻きホイールを含み、前記ベースの右側にある突き出るところには右踏みつけ区域が設置され、右踏みつけ区域は右踏み板と、伝動スライドプレートを含み、前記伝動スライドプレートは右噛合ホイールと右糸巻きホイールの回転をコントロールでき、それによって前記昇降装置と前記糸巻き装置の回転をコントロールし、前記箱空間の左側には二つの単向吸気装置が設置され、左側にある前記単向吸気装置はピストン空間に対し空気の入り込みをコントロールし、右側にある前記単向吸気装置は前記ピストン空間に対し空気の放出をコントロールし、前記単向吸気装置はスライドビードを含み、前記ベースの左側にある二つの対称の突き出るところには左踏みつけ区域が設置され、前記左踏みつけ区域は左踏み板と、ピストンロッドを含み、前記ピストンロッドの底部端面にはピストンが固定的に装着され、前記ピストンは前記左踏みつけ区域を通じて前記単向吸気装置をコントロールして空気の入り込むことと放出することを行わせ、ゴミ分別可能なゴミ箱はまた同調回転部品を含み、前記同調回転部品はコントローラーを含み、コントローラーを通じて本発明の作動をコントロールする。
【０００６】
更に、前記ボディーケースはベースを含み、前記ベースの中には箱空間が前後対称になるように設置され、前記箱空間の内壁の間にはゴミ箱が固定的に装着され、前記ゴミ箱の外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、前記昇降装置は前後二つの前記箱空間の間に位置する右噛合空間を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着される。
【０００７】
更に、前記右踏みつけ区域は前記ベースの右側の突き出るところに位置する右踏み板溝を含み、前記右踏み板溝の左側壁の中には前記スライド空間と連通するリミット溝が設置され、前記リミット溝の中には伝動スライドプレートがスライドできるように装着され、前記伝動スライドプレートの左側が左糸巻きホイールと噛み合い、前記伝動スライドプレートの右側端面には前記右踏み板溝の中でスライドできる右踏み板が固定的に装着され、前記右踏み板の底部端面と前記右踏み板溝の底壁との間には右踏み板ばねが固定的に装着され、
前記左踏みつけ区域は左側にある二つの突き出るところに位置する左踏み板溝を含み、前記左踏み板溝の右側壁の中には踏み板軸が設置され、前記左踏み板溝の中には左踏み板がスライドできるように装着され、前記左踏み板の右側端面には前記踏み板軸とスライドできるように装着されるピストンロッドが固定的に装着され、前記踏み板軸の下側には前記ピストン空間が連通するように設置され、前記踏み板軸の底部端面には前記ピストン空間の中でスライドできるピストンが固定的に装着され、前記左踏み板の底部端面と前記左踏み板溝の底壁との間には左踏み板ばねが固定的に装着される。
【０００８】
更に、前記糸巻き装置は前記右噛合空間の前後両側に設置される四つの右糸巻き空間を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールに巻き付いた後に上へ伸びて前記上糸巻きホイールと固定的に巻き付く。
【０００９】
更に、前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がコントローラーと連結され、前記単向吸気装置は第一通気溝を含み、前記第一通気溝にはスライドビード溝が連通するように設置され、前記スライドビード溝の中にはスライドビードがスライドできるように装着され、前記スライドビード溝には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気装置の第二通気溝が前記ピストン空間と連通し、前記第一通気溝と前記箱空間とが連通し、前記ピストン空間の下方にある前記単向吸気装置の第一通気溝が前記ピストン空間と連通し、前記第二通気溝が前記ベースの底部端面を貫通する。
【発明の効果】
【００１０】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、コントローラーによりコントロールでき、ゴミ袋の開口を上へプッシュすると、ゴミ袋を取り出す時にゴミと接触しなく、普及する価値がある。
【図面の簡単な説明】
【００１１】
【図１】図１は本発明の総体構造概略図
【図２】図２は図１の中のＡ方向の上面図
【図３】図３は図１の中のＢ−Ｂ方向の断面構造概略図
【図４】図４は図１の中のＣ−Ｃ方向の断面構造概略図
【図５】図５は図１の中のＤのところの拡大概略図
【図６】図６は図２の中のＥ−Ｅ方向の断面概略図
【図７】図７は図３の中のＦのところの拡大概略図
【発明を実施するための形態】
【００１２】
下記に図１−７を合わせて本発明に対して詳しく説明し、意思の疎通がもっと便利になるように、下記に記載した上下左右前後の方向と図１の自身の投影関係の上下左右前後の方向とは一致している。
【００１３】
図１−７を参照して、本発明の実施例のゴミ分別可能なゴミ箱は、ボディーケース１０１を含み、前記ボディーケース１０１はベース１２と、カバープレート１５を含み、また箱空間１６と、前記箱空間１６の中に固定的に装着されるゴミ箱１７を含み、また前記カバープレート１５をコントロールして上下へ移動させる昇降装置１０２と前記カバープレート１５をコントロールして回転させる糸巻き装置１０３を含み、前記昇降装置１０２は昇降スライドプレート１３と、ラックスライドプレート２４を含み、また前記ラックスライドプレート２４をコントロールしてスライドさせる右噛合ホイール２６を含み、前記糸巻き装置１０３は引き線４０と、上糸巻きホイール７１と、右糸巻きホイール３７を含み、前記ベース１２の右側にある突き出るところには右踏みつけ区域１０４が設置され、右踏みつけ区域１０４は右踏み板３２と、伝動スライドプレート３０を含み、前記伝動スライドプレート３０は右噛合ホイール２６と右糸巻きホイール３７の回転をコントロールでき、それによって前記昇降装置１０２と前記糸巻き装置１０３の回転をコントロールし、前記箱空間１６の左側には二つの単向吸気装置１０５が設置され、左側にある前記単向吸気装置１０５はピストン空間５１に対し空気の入り込みをコントロールし、右側にある前記単向吸気装置１０５は前記ピストン空間５１に対し空気の放出をコントロールし、前記単向吸気装置１０５はスライドビード５３を含み、前記ベース１２の左側にある二つの対称の突き出るところには左踏みつけ区域１０６が設置され、前記左踏みつけ区域１０６は左踏み板４６と、ピストンロッド４８を含み、前記ピストンロッド４８の底部端面にはピストン５０が固定的に装着され、前記ピストン５０は前記左踏みつけ区域１０６を通じて前記単向吸気装置１０５をコントロールして空気の入り込むことと放出することを行わせ、ゴミ分別可能なゴミ箱はまた同調回転部品１０７を含み、前記同調回転部品１０７はコントローラー１０を含み、コントローラー１０を通じて本発明の作動をコントロールする。
【００１４】
有益なまたは示しているように、前記ボディーケース１０１はベース１２を含み、前記ベース１２の中には箱空間１６が前後対称になるように設置され、前記箱空間１６の内壁の間にはゴミ箱１７が固定的に装着され、前記ゴミ箱１７の外側には袋推し輪４４が掛けられ、前記袋推し輪４４の外側には袋押し輪４３が掛けられ、前記ベース１２の頂部端面には連結ブロック１４が挿入連結し装着され、前記連結ブロック１４の中には前記箱空間１６を封鎖するカバープレート１５がヒンジで連結し装着され、それによりカバープレート１５を開けられ、前側にあるゴミ箱１７にリサイクル可能なゴミを入れ、後側にあるゴミ箱１７にリサイクルできないゴミを入れ、
前記昇降装置１０２は前後二つの前記箱空間１６の間に位置する右噛合空間２５を含み、前記右噛合空間２５の前後内壁の間には右回転軸２７が回転できるように装着され、前記右回転軸２７には右噛合ホイール２６が固定的に装着され、前記右噛合空間２５の左側には左噛合空間２１が設置され、前記左噛合空間２１の前後内壁の間には左回転軸２３が回転できるように装着され、前記左回転軸２３には左噛合ホイール２２が固定的に装着され、前記左噛合空間２１と前記右噛合空間２５の間にはスライド空間２０が連通するように設置され、前記スライド空間２０の中には前記左噛合ホイール２２と前記右噛合ホイール２６と噛み合うラックスライドプレート２４がスライドできるように装着され、前記スライド空間２０の左端頂壁には昇降スライドプレート溝１８が設置され、前記昇降スライドプレート溝１８の中には前記左噛合ホイール２２と噛み合い、且つ、前記連結ブロック１４の左側端面と固定する昇降スライドプレート１３がスライドできるように装着され、それにより右噛合ホイール２６が回転している時にラックスライドプレート２４を連動して移動させ、ラックスライドプレート２４は噛み合いにより左噛合ホイール２２と左回転軸２３を連動して回転させ、左噛合ホイール２２は噛み合いにより昇降スライドプレート１３を連動して上へ移動させ、昇降スライドプレート１３は連結ブロック１４とカバープレート１５を連動して上へ移動させる。
【００１５】
有益なまたは示しているように、前記右踏みつけ区域１０４は前記ベース１２の右側の突き出るところに位置する右踏み板溝３１を含み、前記右踏み板溝３１の左側壁の中には前記スライド空間２０と連通するリミット溝２８が設置され、前記リミット溝２８の中には伝動スライドプレート３０がスライドできるように装着され、前記伝動スライドプレート３０の左側が左糸巻きホイール３６と噛み合い、前記伝動スライドプレート３０の右側端面には前記右踏み板溝３１の中でスライドできる右踏み板３２が固定的に装着され、前記右踏み板３２の底部端面と前記右踏み板溝３１の底壁との間には右踏み板ばね３３が固定的に装着され、それにより右踏み板３２を踏みつける時に伝動スライドプレート３０を連動して下へ移動させ、伝動スライドプレート３０が右噛合ホイール２６を連動して回転させ、右踏み板３２を緩めた後、右踏み板ばね３３の作用により右踏み板３２が元の位置に戻り、
前記左踏みつけ区域１０６は左側にある二つの突き出るところに位置する左踏み板溝４５を含み、前記左踏み板溝４５の右側壁の中には踏み板軸３９が設置され、前記左踏み板溝４５の中には左踏み板４６がスライドできるように装着され、前記左踏み板４６の右側端面には前記踏み板軸３９とスライドできるように装着されるピストンロッド４８が固定的に装着され、前記踏み板軸３９の下側には前記ピストン空間５１が連通するように設置され、前記踏み板軸３９の底部端面には前記ピストン空間５１の中でスライドできるピストン５０が固定的に装着され、前記左踏み板４６の底部端面と前記左踏み板溝４５の底壁との間には左踏み板ばね４７が固定的に装着され、それにより左踏み板４６を踏みつけてピストンロッド４８とピストン５０を連動して下へ移動させ、左踏み板４６を緩めた後に左踏み板ばね４７の作用により左踏み板４６が元の位置に戻る。
【００１６】
有益なまたは示しているように、前記糸巻き装置１０３は前記右噛合空間２５の前後両側に設置される四つの右糸巻き空間３８を含み、前記右回転軸２７が前記右糸巻き空間３８の内壁と回転できるように装着され、前記右回転軸２７には右糸巻きホイール３７が固定的に装着され、前記左噛合空間２１の前後両側には四つの左糸巻き空間３４が設置され、前記左回転軸２３が前後へ伸びて前後の前記左糸巻き空間３４の内壁と回転できるように装着され、前記左回転軸２３のうち前記左糸巻き空間３４の中に位置するところには糸巻きサブホイール３５が固定的に設置され、前記糸巻きサブホイール３５には左糸巻きホイール３６が回転できるように装着され、前記カバープレート１５の中には四つの上糸巻き空間６８が設置され、前記上糸巻き空間６８の前後端壁の間には上糸巻き軸７０が固定的に装着され、前記上糸巻き軸７０には上糸巻きホイール７１が固定的に装着され、前記右糸巻きホイール３７には引き線４０が固定的に巻き付き、前記引き線４０が前記左糸巻き空間３４の中に入って前記左糸巻きホイール３６に巻き付いた後に上へ伸びて前記上糸巻きホイール７１と固定的に巻き付き、それにより右噛合ホイール２６が回転して右回転軸２７を連動して回転させる時に右糸巻きホイール３７を連動して同調に回転させ、右糸巻きホイール３７に引き線４０が巻き付くことは始まり、引き線４０を引っ張った後に上糸巻き空間６８の中の引き線４０を引き動かし、上糸巻き軸７０を連動して回転させ、上糸巻き軸７０の回転がカバープレート１５を連動して翻転させる。
【００１７】
有益なまたは示しているように、前記同調回転部品１０７は前記袋推し輪４４の左側端面に固定的に装着される同調ブロック５８を含み、前記カバープレート１５のうち前記上糸巻き空間６８の間に位置するところには同調溝６７が設置され、前記同調溝６７の前後内壁の間にはソケット角溝６６が設置され、前記同調ブロック５８の中には前後を貫通するスライド角溝６５が設置され、前記スライド角溝６５の中には二つの、前記ソケット角溝６６と挿入連結できるソケットスライドブロック６３がスライドできるように装着され、前後両側の前記ソケットスライドブロック６３の相対側の端面には第一電磁石６４が固定的に装着され、前記スライド角溝６５の右側には二つの前後対称であるリミットスライド溝６０が連通するように設置され、前記ソケットスライドブロック６３の右側端面には前記リミットスライド溝６０とスライドできるように装着されるリミットスライドブロック６１が固定的に装着され、前記リミットスライドブロック６１と前記リミットスライド溝６０の内壁との間には位置戻しばね６２が固定的に装着され、前記カバープレート１５の底部端面の中には三つの第二電磁石４１が設置され、前記袋押し輪４３の頂部端面の中には三つの、前記第二電磁石４１と吸着できる鉄片４２が設置され、前記ベース１２には電線１１が設置され、前記電線１１の端部がコントローラー１０と連結され、それによりコントローラー１０を利用して第二電磁石４１の通電と停電をコントロールでき、第二電磁石４１が通電している時に鉄片４２を吸着でき、カバープレート１５の上昇と翻転に従って、第一電磁石６４の通電する方向をコントロールし、それにより第一電磁石６４がお互いに吸着し、または排斥し、前記第一電磁石６４はお互いに排斥する時に両側のソケットスライドブロック６３をソケット角溝６６の中にプッシュして入らせ、それにより同調ブロック５８と袋推し輪４４とがカバープレート１５に従って上昇また翻転することができ、
前記単向吸気装置１０５は第一通気溝５２を含み、前記第一通気溝５２にはスライドビード溝５４が連通するように設置され、前記スライドビード溝５４の中にはスライドビード５３がスライドできるように装着され、前記スライドビード溝５４には通気空間５５が連通するように設置され、前記スライドビード５３と前記通気空間５５の内壁との間にはスライドビードばね５７が固定的に装着され、前記通気空間５５のもう一つの片側の内壁には二つの、対称である第二通気溝５６が連通するように設置され、前記ピストン空間５１の右側の前記単向吸気装置１０５の第二通気溝５６が前記ピストン空間５１と連通し、前記第一通気溝５２と前記箱空間１６とが連通し、前記ピストン空間５１の下方にある前記単向吸気装置１０５の第一通気溝５２が前記ピストン空間５１と連通し、前記第二通気溝５６が前記ベース１２の底部端面を貫通し、それによりピストン５０が下へ移動する時に右側にあるスライドビード５３はスライドビードばね５７の作用により第一通気溝５２の開口部と密着し、ピストン空間５１の中の気圧が下方にあるスライドビード５３を下へ推し、ピストン空間５１の空気がスライドビード溝５４から通気空間５５の中に入った後第二通気溝５６に入り、それから第二通気溝５６からベース１２の外部に排出され、ピストン５０が上へ移動する時に、ピストン空間５１の低気圧の作用により下方にあるスライドビード５３は第一通気溝５２の開口部と密着し、右側にあるスライドビード５３は左へ押され、箱空間１６の中の空気は右側の第一通気溝５２からピストン空間５１の中に入る。
【００１８】
使用する時、右踏み板３２を踏みつける時に伝動スライドプレート３０が下へ移動し、伝動スライドプレート３０が噛み合いにより右噛合ホイール２６を連動して回転させ、右踏み板３２を緩めた後に右踏み板ばね３３の作用により右踏み板３２が元の位置に戻り、右噛合ホイール２６が噛み合いによりラックスライドプレート２４を連動して移動させ、ラックスライドプレート２４が噛み合いにより左噛合ホイール２２と左回転軸２３を連動して回転させ、左噛合ホイール２２が噛み合いにより昇降スライドプレート１３を連動して上へ移動させ、昇降スライドプレート１３が連結ブロック１４とカバープレート１５を連動して上へ移動させ、右噛合ホイール２６が右回転軸２７を連動して回転させる同時に、右糸巻きホイール３７を連動して同調に回転させ、右糸巻きホイール３７に引き線が巻き付くことが始まり、引き線４０を強く張った後に上糸巻き空間６８の中の引き線４０を引き動かし、上糸巻き軸７０を連動して回転させ、上糸巻き軸７０が回転してカバープレート１５を連動して翻転させ、カバープレート１５を開け、前側にあるゴミ箱１７の中にリサイクル可能なゴミを入れ、後側にあるゴミ箱１７の中にリサイクルできないゴミを入れる。
【００１９】
ゴミ袋を取り出すことが必要となる時に、コントローラー１０を利用して第二電磁石４１と、第一電磁石６４の通電と停電また通電する方向をコントロールし、第二電磁石４１が通電する時に、鉄片４２を吸着でき、第一電磁石６４の通電する方向をコントロールし、前記第一電磁石６４の互いの排斥は両側のソケットスライドブロック６３をソケット角溝６６の中にプッシュして入らせ、それにより同調ブロック５８と袋推し輪４４とがカバープレート１５に従って上昇と翻転でき、袋押し輪４３もカバープレート１５に従って上昇と翻転し、ゴミ袋の開口を上へ翻転し、手が汚れないようにゴミ袋を取り出せる。
【００２０】
ゴミ袋を入れる時に、袋押し輪４３を翻転し、それからゴミ袋を箱空間１６の中に入れ、ゴミ袋の開口を広げて袋推し輪４４に覆い、カバープレート１５と袋押し輪４３を覆い、左踏み板４６を踏みつけてピストンロッド４８とピストン５０を連動して下へ移動させ、左踏み板４６から外した後に左踏み板ばね４７の作用により左踏み板４６が元の位置に戻り、ピストン５０が下へ移動する時に右側のスライドビード５３はスライドビードばね５７の作用により第一通気溝５２の開口部と密着し、ピストン空間５１の中の気圧が下方にあるスライドビード５３を下へプッシュし、ピストン空間５１の空気がスライドビード溝５４から通気空間５５の中に入った後第二通気溝５６に入り、それから第二通気溝５６からベース１２の外部に排出され、ピストン５０が上へ移動する時に、ピストン空間５１の低気圧の作用により下方にあるスライドビード５３は第一通気溝５２の開口部と密着し、右側にあるスライドビード５３は左へ押され、箱空間１６の中の空間は右側の第一通気溝５２からピストン空間５１の中に入り、ゴミ袋をゴミ箱の内壁に緊密に密着させる。
【００２１】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、コントローラーによりコントロールでき、ゴミ袋の開口を上へプッシュすると、ゴミ袋を取り出す時にゴミと接触しなく、普及する価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降装置と前記カバープレートをコントロールして回転させる糸巻き装置を含み、前記昇降装置は昇降スライドプレートと、ラックスライドプレートを含み、また前記ラックスライドプレートをコントロールしてスライドさせる右噛合ホイールを含み、前記糸巻き装置は引き線と、上糸巻きホイールと、右糸巻きホイールを含み、前記ベースの右側にある突き出るところには右踏みつけ区域が設置され、右踏みつけ区域は右踏み板と、前記右踏み板と固定された伝動スライドプレートを含み、前記伝動スライドプレートは右噛合ホイールと右糸巻きホイールの回転をコントロールでき、それによって前記昇降装置と前記糸巻き装置の回転をコントロールし、前記箱空間の左側には二つの単向吸気装置が設置され、左側にある前記単向吸気装置はピストン空間に対し空気の入り込みをコントロールし、右側にある前記単向吸気装置は前記ピストン空間に対し空気の放出をコントロールし、前記単向吸気装置はスライドビードを含み、前記ベースの左側にある二つの対称の突き出るところには左踏みつけ区域が設置され、前記左踏みつけ区域は左踏み板と、ピストンロッドを含み、前記ピストンロッドの底部端面にはピストンが固定的に装着され、前記ピストンは前記左踏みつけ区域を通じて前記単向吸気装置をコントロールして空気の入り込むことと放出することを行わせ、ゴミ分別可能なゴミ箱はまた同調回転部品を含み、前記同調回転部品はコントローラーを含み、コントローラーを通じて第二電磁石、第一電磁石の通電と停電を制御し、
前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がコントローラーと連結され、それによりコントローラーを利用して第二電磁石の通電と停電をコントロールでき、第二電磁石が通電している時に鉄片を吸着でき、カバープレートの上昇と翻転に従って、第一電磁石の通電する方向をコントロールし、それにより第一電磁石がお互いに吸着し、または排斥し、前記第一電磁石はお互いに排斥する時に両側のソケットスライドブロックをソケット角溝の中にプッシュして入らせ、それにより同調ブロックと袋推し輪とがカバープレートに従って上昇また翻転することができ、
前記単向吸気装置は第一通気溝を含み、前記第一通気溝にはスライドビード溝が連通するように設置され、前記スライドビード溝の中にはスライドビードがスライドできるように装着され、前記スライドビード溝には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気装置の第二通気溝が前記ピストン空間と連通し、前記第一通気溝と前記箱空間とが連通し、前記ピストン空間の下方にある前記単向吸気装置の第一通気溝が前記ピストン空間と連通し、前記第二通気溝が前記ベースの底部端面を貫通し、それによりピストンが下へ移動する時に右側にあるスライドビードはスライドビードばねの作用により第一通気溝の開口部と密着し、ピストン空間の中の気圧が下方にあるスライドビードを下へ推し、ピストン空間の空気がスライドビード溝から通気空間の中に入った後第二通気溝に入り、それから第二通気溝からベースの外部に排出され、ピストンが上へ移動する時に、ピストン空間の低気圧の作用により下方にあるスライドビードは第一通気溝の開口部と密着し、右側にあるスライドビードは左へ押され、箱空間の中の空気は右側の第一通気溝からピストン空間の中に入ることを特徴とするゴミ分別可能なゴミ箱。
【請求項２】
前記ボディーケースはベースを含み、前記ベースの中には箱空間が前後対称になるように設置され、前記箱空間の内壁の間にはゴミ箱が固定的に装着され、前記ゴミ箱の外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、それによりカバープレートを開けられ、前側にあるゴミ箱にリサイクル可能なゴミを入れ、後側にあるゴミ箱にリサイクルできないゴミを入れ、
前記昇降装置は右噛合空間にある一部分の部品を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着され、それにより右噛合ホイールが回転している時にラックスライドプレートを連動して移動させ、ラックスライドプレートは噛み合いにより左噛合ホイールと左回転軸を連動して回転させ、左噛合ホイールは噛み合いにより昇降スライドプレートを連動して上へ移動させ、昇降スライドプレートは連結ブロックとカバープレートを連動して上へ移動させることを特徴とする請求項１に記載のゴミ分別可能なゴミ箱。
【請求項３】
前記右踏みつけ区域は前記ベースの右側の突き出るところに位置する右踏み板溝を含み、前記右踏み板溝の左側壁の中には前記スライド空間と連通するリミット溝が設置され、前記リミット溝の中には伝動スライドプレートがスライドできるように装着され、前記伝動スライドプレートの左側が左糸巻きホイールと噛み合い、前記伝動スライドプレートの右側端面には前記右踏み板溝の中でスライドできる右踏み板が固定的に装着され、前記右踏み板の底部端面と前記右踏み板溝の底壁との間には右踏み板ばねが固定的に装着され、それにより右踏み板を踏みつける時に伝動スライドプレートを連動して下へ移動させ、伝動スライドプレートが右噛合ホイールを連動して回転させ、右踏み板を緩めた後、右踏み板ばねの作用により右踏み板が元の位置に戻り、
前記左踏みつけ区域は左側にある二つの突き出るところに位置する左踏み板溝を含み、前記左踏み板溝の右側壁の中には踏み板溝が設置され、前記左踏み板溝の中には左踏み板がスライドできるように装着され、前記左踏み板の右側端面には前記踏み板溝とスライドできるように装着されるピストンロッドが固定的に装着され、前記踏み板溝の下側には前記ピストン空間が連通するように設置され、前記踏み板溝の底部端面には前記ピストン空間の中でスライドできるピストンが固定的に装着され、前記左踏み板の底部端面と前記左踏み板溝の底壁との間には左踏み板ばねが固定的に装着され、それにより左踏み板を踏みつけてピストンロッドとピストンを連動して下へ移動させ、左踏み板を緩めた後に左踏み板ばねの作用により左踏み板が元の位置に戻ることを特徴とする請求項２に記載のゴミ分別可能なゴミ箱。
【請求項４】
前記糸巻き装置は前記右噛合空間の前後両側に設置される四つの右糸巻き空間の内部の部品を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールに巻き付いた後に上へ伸びて前記上糸巻きホイールと固定的に巻き付き、それにより右噛合ホイールが回転して右回転軸を連動して回転させる時に右糸巻きホイールを連動して同調に回転させ、右糸巻きホイールに引き線が巻き付くことは始まり、引き線を引っ張った後に上糸巻き空間の中の引き線を引き動かし、上糸巻き軸を連動して回転させ、上糸巻き軸の回転がカバープレートを連動して翻転させることを特徴とする請求項３に記載のゴミ分別可能なゴミ箱。
【手続補正２】
【補正対象書類名】明細書
【補正対象項目名】全文
【補正方法】変更
【補正の内容】
【発明の詳細な説明】
【技術分野】
【０００１】
本発明はゴミ箱の分野に関わり、具体的にはゴミ分別可能なゴミ箱である。
【背景技術】
【０００２】
人間の環境保護意識の強まりと持続可能発展の戦略の実施に伴って、ゴミ分別を行うことが普及され、ゴミを便利に分別するにはゴミ捨てのところにリサイクル可能なゴミのゴミ箱とリサイクルできないゴミのゴミ箱の二種類のゴミ箱を置く必要があり、ただし家の中にゴミを分別するには二つのゴミ箱を必要とし、近いところに置くとゴミを誤って捨てやすく、離れて置くとゴミを捨てることに不便であり、ゴミを捨てるときに、ゴミ袋がゴミに外されやすく、またはゴミ箱の内壁との密着が足りなくて傷つきやすく、その同時にゴミを捨てるときにゴミはゴミの開口部と接触しやすくて、一部分はゴミ袋に付き、そのためゴミ袋を取り出すときにゴミが手に付き、数多くの人にとって、困ることであり、この問題を解決するために、ゴミ分別可能なゴミ箱は必要となる。
【先行技術文献】
【特許文献】
【０００３】
【特許文献１】中国特許出願公開第１０４８４３３９０号明細書
【発明の概要】
【発明が解決しようとする課題】
【０００４】
本発明の目的はゴミ分別可能なゴミ箱を提供して、既存の技術の中の上記問題を解決できる。
【課題を解決するための手段】
【０００５】
本発明の実施例のゴミ分別可能なゴミ箱は、ボディーケースを含み、前記ボディーケースはベースと、カバープレートを含み、また箱空間と、前記箱空間の中に固定的に装着されるゴミ箱を含み、また前記カバープレートをコントロールして上下へ移動させる昇降装置と前記カバープレートをコントロールして回転させる糸巻き装置を含み、前記昇降装置は昇降スライドプレートと、ラックスライドプレートを含み、また前記ラックスライドプレートをコントロールしてスライドさせる右噛合ホイールを含み、前記糸巻き装置は引き線と、上糸巻きホイールと、右糸巻きホイールを含み、前記ベースの右側にある突き出るところには右踏みつけ区域が設置され、右踏みつけ区域は右踏み板と、前記右踏み板と固定された伝動スライドプレートを含み、前記伝動スライドプレートは右噛合ホイールと右糸巻きホイールの回転をコントロールでき、それによって前記昇降装置と前記糸巻き装置の回転をコントロールし、前記箱空間の左側には二つの単向吸気装置が設置され、左側にある前記単向吸気装置はピストン空間に対し空気の入り込みをコントロールし、右側にある前記単向吸気装置は前記ピストン空間に対し空気の放出をコントロールし、前記単向吸気装置はスライドビードを含み、前記ベースの左側にある二つの対称の突き出るところには左踏みつけ区域が設置され、前記左踏みつけ区域は左踏み板と、ピストンロッドを含み、前記ピストンロッドの底部端面にはピストンが固定的に装着され、前記ピストンは前記左踏みつけ区域を通じて前記単向吸気装置をコントロールして空気の入り込むことと放出することを行わせ、ゴミ分別可能なゴミ箱はまた同調回転部品を含み、前記同調回転部品はコントローラーを含み、コントローラーを通じて本発明の作動をコントロールする。
【０００６】
更に、前記ボディーケースはベースを含み、前記ベースの中には箱空間が前後対称になるように設置され、前記箱空間の内壁の間にはゴミ箱が固定的に装着され、前記ゴミ箱の外側には袋推し輪が掛けられ、前記袋推し輪の外側には袋押し輪が掛けられ、前記ベースの頂部端面には連結ブロックが挿入連結し装着され、前記連結ブロックの中には前記箱空間を封鎖するカバープレートがヒンジで連結し装着され、前記昇降装置は右噛合空間にある一部分の部品を含み、前記右噛合空間の前後内壁の間には右回転軸が回転できるように装着され、前記右回転軸には右噛合ホイールが固定的に装着され、前記右噛合空間の左側には左噛合空間が設置され、前記左噛合空間の前後内壁の間には左回転軸が回転できるように装着され、前記左回転軸には左噛合ホイールが固定的に装着され、前記左噛合空間と前記右噛合空間の間にはスライド空間が連通するように設置され、前記スライド空間の中には前記左噛合ホイールと前記右噛合ホイールと噛み合うラックスライドプレートがスライドできるように装着され、前記スライド空間の左端頂壁には昇降スライドプレート溝が設置され、前記昇降スライドプレート溝の中には前記左噛合ホイールと噛み合い、且つ、前記連結ブロックの左側端面と固定する昇降スライドプレートがスライドできるように装着される。
【０００７】
更に、前記右踏みつけ区域は前記ベースの右側の突き出るところに位置する右踏み板溝を含み、前記右踏み板溝の左側壁の中には前記スライド空間と連通するリミット溝が設置され、前記リミット溝の中には伝動スライドプレートがスライドできるように装着され、前記伝動スライドプレートの左側が左糸巻きホイールと噛み合い、前記伝動スライドプレートの右側端面には前記右踏み板溝の中でスライドできる右踏み板が固定的に装着され、前記右踏み板の底部端面と前記右踏み板溝の底壁との間には右踏み板ばねが固定的に装着され、
前記左踏みつけ区域は左側にある二つの突き出るところに位置する左踏み板溝を含み、前記左踏み板溝の右側壁の中には踏み板溝が設置され、前記左踏み板溝の中には左踏み板がスライドできるように装着され、前記左踏み板の右側端面には前記踏み板溝とスライドできるように装着されるピストンロッドが固定的に装着され、前記踏み板溝の下側には前記ピストン空間が連通するように設置され、前記踏み板溝の底部端面には前記ピストン空間の中でスライドできるピストンが固定的に装着され、前記左踏み板の底部端面と前記左踏み板溝の底壁との間には左踏み板ばねが固定的に装着される。
【０００８】
更に、前記糸巻き装置は前記右噛合空間の前後両側に設置される四つの右糸巻き空間の内部の部品を含み、前記右回転軸が前記右糸巻き空間の内壁と回転できるように装着され、前記右回転軸には右糸巻きホイールが固定的に装着され、前記左噛合空間の前後両側には四つの左糸巻き空間が設置され、前記左回転軸が前後へ伸びて前後の前記左糸巻き空間の内壁と回転できるように装着され、前記左回転軸のうち前記左糸巻き空間の中に位置するところには糸巻きサブホイールが固定的に設置され、前記糸巻きサブホイールには左糸巻きホイールが回転できるように装着され、前記カバープレートの中には四つの上糸巻き空間が設置され、前記上糸巻き空間の前後端壁の間には上糸巻き軸が固定的に装着され、前記上糸巻き軸には上糸巻きホイールが固定的に装着され、前記右糸巻きホイールには引き線が固定的に巻き付き、前記引き線が前記左糸巻き空間の中に入って前記左糸巻きホイールに巻き付いた後に上へ伸びて前記上糸巻きホイールと固定的に巻き付く。
【０００９】
更に、前記同調回転部品は前記袋推し輪の左側端面に固定的に装着される同調ブロックを含み、前記カバープレートのうち前記上糸巻き空間の間に位置するところには同調溝が設置され、前記同調溝の前後内壁の間にはソケット角溝が設置され、前記同調ブロックの中には前後を貫通するスライド角溝が設置され、前記スライド角溝の中には二つの、前記ソケット角溝と挿入連結できるソケットスライドブロックがスライドできるように装着され、前後両側の前記ソケットスライドブロックの相対側の端面には第一電磁石が固定的に装着され、前記スライド角溝の右側には二つの前後対称であるリミットスライド溝が連通するように設置され、前記ソケットスライドブロックの右側端面には前記リミットスライド溝とスライドできるように装着されるリミットスライドブロックが固定的に装着され、前記リミットスライドブロックと前記リミットスライド溝の内壁との間には位置戻しばねが固定的に装着され、前記カバープレートの底部端面の中には三つの第二電磁石が設置され、前記袋押し輪の頂部端面の中には三つの、前記第二電磁石と吸着できる鉄片が設置され、前記ベースには電線が設置され、前記電線の端部がコントローラーと連結され、前記単向吸気装置は第一通気溝を含み、前記第一通気溝にはスライドビード溝が連通するように設置され、前記スライドビード溝の中にはスライドビードがスライドできるように装着され、前記スライドビード溝には通気空間が連通するように設置され、前記スライドビードと前記通気空間の内壁との間にはスライドビードばねが固定的に装着され、前記通気空間のもう一つの片側の内壁には二つの、対称である第二通気溝が連通するように設置され、前記ピストン空間の右側の前記単向吸気装置の第二通気溝が前記ピストン空間と連通し、前記第一通気溝と前記箱空間とが連通し、前記ピストン空間の下方にある前記単向吸気装置の第一通気溝が前記ピストン空間と連通し、前記第二通気溝が前記ベースの底部端面を貫通する。
【発明の効果】
【００１０】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、コントローラーによりコントロールでき、ゴミ袋の開口を上へプッシュすると、ゴミ袋を取り出す時にゴミと接触しなく、普及する価値がある。
【図面の簡単な説明】
【００１１】
【図１】図１は本発明の総体構造概略図
【図２】図２は図１の中のＡ方向の上面図
【図３】図３は図１の中のＢ−Ｂ方向の断面構造概略図
【図４】図４は図１の中のＣ−Ｃ方向の断面構造概略図
【図５】図５は図１の中のＤのところの拡大概略図
【図６】図６は図２の中のＥ−Ｅ方向の断面概略図
【図７】図７は図３の中のＦのところの拡大概略図
【発明を実施するための形態】
【００１２】
下記に図１−７を合わせて本発明に対して詳しく説明し、意思の疎通がもっと便利になるように、下記に記載した上下左右前後の方向と図１の自身の投影関係の上下左右前後の方向とは一致している。
【００１３】
図１−７を参照して、本発明の実施例のゴミ分別可能なゴミ箱は、ボディーケース１０１を含み、前記ボディーケース１０１はベース１２と、カバープレート１５を含み、また箱空間１６と、前記箱空間１６の中に固定的に装着されるゴミ箱１７を含み、また前記カバープレート１５をコントロールして上下へ移動させる昇降装置１０２と前記カバープレート１５をコントロールして回転させる糸巻き装置１０３を含み、前記昇降装置１０２は昇降スライドプレート１３と、ラックスライドプレート２４を含み、また前記ラックスライドプレート２４をコントロールしてスライドさせる右噛合ホイール２６を含み、前記糸巻き装置１０３は引き線４０と、上糸巻きホイール７１と、右糸巻きホイール３７を含み、前記ベース１２の右側にある突き出るところには右踏みつけ区域１０４が設置され、右踏みつけ区域１０４は右踏み板３２と、前記右踏み板３２と固定された伝動スライドプレート３０を含み、前記伝動スライドプレート３０は右噛合ホイール２６と右糸巻きホイール３７の回転をコントロールでき、それによって前記昇降装置１０２と前記糸巻き装置１０３の回転をコントロールし、前記箱空間１６の左側には二つの単向吸気装置１０５が設置され、左側にある前記単向吸気装置１０５はピストン空間５１に対し空気の入り込みをコントロールし、右側にある前記単向吸気装置１０５は前記ピストン空間５１に対し空気の放出をコントロールし、前記単向吸気装置１０５はスライドビード５３を含み、前記ベース１２の左側にある二つの対称の突き出るところには左踏みつけ区域１０６が設置され、前記左踏みつけ区域１０６は左踏み板４６と、ピストンロッド４８を含み、前記ピストンロッド４８の底部端面にはピストン５０が固定的に装着され、前記ピストン５０は前記左踏みつけ区域１０６を通じて前記単向吸気装置１０５をコントロールして空気の入り込むことと放出することを行わせ、ゴミ分別可能なゴミ箱はまた同調回転部品１０７を含み、前記同調回転部品１０７はコントローラー１０を含み、コントローラー１０を通じて本発明の作動をコントロールする。
【００１４】
有益なまたは示しているように、前記ボディーケース１０１はベース１２を含み、前記ベース１２の中には箱空間１６が前後対称になるように設置され、前記箱空間１６の内壁の間にはゴミ箱１７が固定的に装着され、前記ゴミ箱１７の外側には袋推し輪４４が掛けられ、前記袋推し輪４４の外側には袋押し輪４３が掛けられ、前記ベース１２の頂部端面には連結ブロック１４が挿入連結し装着され、前記連結ブロック１４の中には前記箱空間１６を封鎖するカバープレート１５がヒンジで連結し装着され、それによりカバープレート１５を開けられ、前側にあるゴミ箱１７にリサイクル可能なゴミを入れ、後側にあるゴミ箱１７にリサイクルできないゴミを入れ、
前記昇降装置１０２は右噛合空間２５にある一部分の部品を含み、前記右噛合空間２５の前後内壁の間には右回転軸２７が回転できるように装着され、前記右回転軸２７には右噛合ホイール２６が固定的に装着され、前記右噛合空間２５の左側には左噛合空間２１が設置され、前記左噛合空間２１の前後内壁の間には左回転軸２３が回転できるように装着され、前記左回転軸２３には左噛合ホイール２２が固定的に装着され、前記左噛合空間２１と前記右噛合空間２５の間にはスライド空間２０が連通するように設置され、前記スライド空間２０の中には前記左噛合ホイール２２と前記右噛合ホイール２６と噛み合うラックスライドプレート２４がスライドできるように装着され、前記スライド空間２０の左端頂壁には昇降スライドプレート溝１８が設置され、前記昇降スライドプレート溝１８の中には前記左噛合ホイール２２と噛み合い、且つ、前記連結ブロック１４の左側端面と固定する昇降スライドプレート１３がスライドできるように装着され、それにより右噛合ホイール２６が回転している時にラックスライドプレート２４を連動して移動させ、ラックスライドプレート２４は噛み合いにより左噛合ホイール２２と左回転軸２３を連動して回転させ、左噛合ホイール２２は噛み合いにより昇降スライドプレート１３を連動して上へ移動させ、昇降スライドプレート１３は連結ブロック１４とカバープレート１５を連動して上へ移動させる。
【００１５】
有益なまたは示しているように、前記右踏みつけ区域１０４は前記ベース１２の右側の突き出るところに位置する右踏み板溝３１を含み、前記右踏み板溝３１の左側壁の中には前記スライド空間２０と連通するリミット溝２８が設置され、前記リミット溝２８の中には伝動スライドプレート３０がスライドできるように装着され、前記伝動スライドプレート３０の左側が左糸巻きホイール３６と噛み合い、前記伝動スライドプレート３０の右側端面には前記右踏み板溝３１の中でスライドできる右踏み板３２が固定的に装着され、前記右踏み板３２の底部端面と前記右踏み板溝３１の底壁との間には右踏み板ばね３３が固定的に装着され、それにより右踏み板３２を踏みつける時に伝動スライドプレート３０を連動して下へ移動させ、伝動スライドプレート３０が右噛合ホイール２６を連動して回転させ、右踏み板３２を緩めた後、右踏み板ばね３３の作用により右踏み板３２が元の位置に戻り、
前記左踏みつけ区域１０６は左側にある二つの突き出るところに位置する左踏み板溝４５を含み、前記左踏み板溝４５の右側壁の中には踏み板溝３９が設置され、前記左踏み板溝４５の中には左踏み板４６がスライドできるように装着され、前記左踏み板４６の右側端面には前記踏み板溝３９とスライドできるように装着されるピストンロッド４８が固定的に装着され、前記踏み板溝３９の下側には前記ピストン空間５１が連通するように設置され、前記踏み板溝３９の底部端面には前記ピストン空間５１の中でスライドできるピストン５０が固定的に装着され、前記左踏み板４６の底部端面と前記左踏み板溝４５の底壁との間には左踏み板ばね４７が固定的に装着され、それにより左踏み板４６を踏みつけてピストンロッド４８とピストン５０を連動して下へ移動させ、左踏み板４６を緩めた後に左踏み板ばね４７の作用により左踏み板４６が元の位置に戻る。
【００１６】
有益なまたは示しているように、前記糸巻き装置１０３は前記右噛合空間２５の前後両側に設置される四つの右糸巻き空間３８の内部の部品を含み、前記右回転軸２７が前記右糸巻き空間３８の内壁と回転できるように装着され、前記右回転軸２７には右糸巻きホイール３７が固定的に装着され、前記左噛合空間２１の前後両側には四つの左糸巻き空間３４が設置され、前記左回転軸２３が前後へ伸びて前後の前記左糸巻き空間３４の内壁と回転できるように装着され、前記左回転軸２３のうち前記左糸巻き空間３４の中に位置するところには糸巻きサブホイール３５が固定的に設置され、前記糸巻きサブホイール３５には左糸巻きホイール３６が回転できるように装着され、前記カバープレート１５の中には四つの上糸巻き空間６８が設置され、前記上糸巻き空間６８の前後端壁の間には上糸巻き軸７０が固定的に装着され、前記上糸巻き軸７０には上糸巻きホイール７１が固定的に装着され、前記右糸巻きホイール３７には引き線４０が固定的に巻き付き、前記引き線４０が前記左糸巻き空間３４の中に入って前記左糸巻きホイール３６に巻き付いた後に上へ伸びて前記上糸巻きホイール７１と固定的に巻き付き、それにより右噛合ホイール２６が回転して右回転軸２７を連動して回転させる時に右糸巻きホイール３７を連動して同調に回転させ、右糸巻きホイール３７に引き線４０が巻き付くことは始まり、引き線４０を引っ張った後に上糸巻き空間６８の中の引き線４０を引き動かし、上糸巻き軸７０を連動して回転させ、上糸巻き軸７０の回転がカバープレート１５を連動して翻転させる。
【００１７】
有益なまたは示しているように、前記同調回転部品１０７は前記袋推し輪４４の左側端面に固定的に装着される同調ブロック５８を含み、前記カバープレート１５のうち前記上糸巻き空間６８の間に位置するところには同調溝６７が設置され、前記同調溝６７の前後内壁の間にはソケット角溝６６が設置され、前記同調ブロック５８の中には前後を貫通するスライド角溝６５が設置され、前記スライド角溝６５の中には二つの、前記ソケット角溝６６と挿入連結できるソケットスライドブロック６３がスライドできるように装着され、前後両側の前記ソケットスライドブロック６３の相対側の端面には第一電磁石６４が固定的に装着され、前記スライド角溝６５の右側には二つの前後対称であるリミットスライド溝６０が連通するように設置され、前記ソケットスライドブロック６３の右側端面には前記リミットスライド溝６０とスライドできるように装着されるリミットスライドブロック６１が固定的に装着され、前記リミットスライドブロック６１と前記リミットスライド溝６０の内壁との間には位置戻しばね６２が固定的に装着され、前記カバープレート１５の底部端面の中には三つの第二電磁石４１が設置され、前記袋押し輪４３の頂部端面の中には三つの、前記第二電磁石４１と吸着できる鉄片４２が設置され、前記ベース１２には電線１１が設置され、前記電線１１の端部がコントローラー１０と連結され、それによりコントローラー１０を利用して第二電磁石４１の通電と停電をコントロールでき、第二電磁石４１が通電している時に鉄片４２を吸着でき、カバープレート１５の上昇と翻転に従って、第一電磁石６４の通電する方向をコントロールし、それにより第一電磁石６４がお互いに吸着し、または排斥し、前記第一電磁石６４はお互いに排斥する時に両側のソケットスライドブロック６３をソケット角溝６６の中にプッシュして入らせ、それにより同調ブロック５８と袋推し輪４４とがカバープレート１５に従って上昇また翻転することができ、
前記単向吸気装置１０５は第一通気溝５２を含み、前記第一通気溝５２にはスライドビード溝５４が連通するように設置され、前記スライドビード溝５４の中にはスライドビード５３がスライドできるように装着され、前記スライドビード溝５４には通気空間５５が連通するように設置され、前記スライドビード５３と前記通気空間５５の内壁との間にはスライドビードばね５７が固定的に装着され、前記通気空間５５のもう一つの片側の内壁には二つの、対称である第二通気溝５６が連通するように設置され、前記ピストン空間５１の右側の前記単向吸気装置１０５の第二通気溝５６が前記ピストン空間５１と連通し、前記第一通気溝５２と前記箱空間１６とが連通し、前記ピストン空間５１の下方にある前記単向吸気装置１０５の第一通気溝５２が前記ピストン空間５１と連通し、前記第二通気溝５６が前記ベース１２の底部端面を貫通し、それによりピストン５０が下へ移動する時に右側にあるスライドビード５３はスライドビードばね５７の作用により第一通気溝５２の開口部と密着し、ピストン空間５１の中の気圧が下方にあるスライドビード５３を下へ推し、ピストン空間５１の空気がスライドビード溝５４から通気空間５５の中に入った後第二通気溝５６に入り、それから第二通気溝５６からベース１２の外部に排出され、ピストン５０が上へ移動する時に、ピストン空間５１の低気圧の作用により下方にあるスライドビード５３は第一通気溝５２の開口部と密着し、右側にあるスライドビード５３は左へ押され、箱空間１６の中の空気は右側の第一通気溝５２からピストン空間５１の中に入る。
【００１８】
使用する時、右踏み板３２を踏みつける時に伝動スライドプレート３０が下へ移動し、伝動スライドプレート３０が噛み合いにより右噛合ホイール２６を連動して回転させ、右踏み板３２を緩めた後に右踏み板ばね３３の作用により右踏み板３２が元の位置に戻り、右噛合ホイール２６が噛み合いによりラックスライドプレート２４を連動して移動させ、ラックスライドプレート２４が噛み合いにより左噛合ホイール２２と左回転軸２３を連動して回転させ、左噛合ホイール２２が噛み合いにより昇降スライドプレート１３を連動して上へ移動させ、昇降スライドプレート１３が連結ブロック１４とカバープレート１５を連動して上へ移動させ、右噛合ホイール２６が右回転軸２７を連動して回転させる同時に、右糸巻きホイール３７を連動して同調に回転させ、右糸巻きホイール３７に引き線が巻き付くことが始まり、引き線４０を強く張った後に上糸巻き空間６８の中の引き線４０を引き動かし、上糸巻き軸７０を連動して回転させ、上糸巻き軸７０が回転してカバープレート１５を連動して翻転させ、カバープレート１５を開け、前側にあるゴミ箱１７の中にリサイクル可能なゴミを入れ、後側にあるゴミ箱１７の中にリサイクルできないゴミを入れる。
【００１９】
ゴミ袋を取り出すことが必要となる時に、コントローラー１０を利用して第二電磁石４１と、第一電磁石６４の通電と停電また通電する方向をコントロールし、第二電磁石４１が通電する時に、鉄片４２を吸着でき、第一電磁石６４の通電する方向をコントロールし、前記第一電磁石６４の互いの排斥は両側のソケットスライドブロック６３をソケット角溝６６の中にプッシュして入らせ、それにより同調ブロック５８と袋推し輪４４とがカバープレート１５に従って上昇と翻転でき、袋押し輪４３もカバープレート１５に従って上昇と翻転し、ゴミ袋の開口を上へ翻転し、手が汚れないようにゴミ袋を取り出せる。
【００２０】
ゴミ袋を入れる時に、袋押し輪４３を翻転し、それからゴミ袋を箱空間１６の中に入れ、ゴミ袋の開口を広げて袋推し輪４４に覆い、カバープレート１５と袋押し輪４３を覆い、左踏み板４６を踏みつけてピストンロッド４８とピストン５０を連動して下へ移動させ、左踏み板４６から外した後に左踏み板ばね４７の作用により左踏み板４６が元の位置に戻り、ピストン５０が下へ移動する時に右側のスライドビード５３が移動しなく、ピストン空間５１の中の気圧が下方にあるスライドビード５３を下へプッシュし、ピストン空間５１の空気が下側の第一通気溝５２により下側の通気空間５５の中に入った後にベース１２の外部に排出され、ピストン５０が上へ移動する時に、ピストン空間５１の低気圧の作用により、下方にあるスライドビード５３は下側の第一通気溝５２の開口部と密着し、右側にあるスライドビード５３は左へ押され、箱空間１６の中の空気は右側の第一通気溝５２からピストン空間５１の中に入り、ゴミ袋をゴミ箱の内壁に緊密に密着させる。
【００２１】
本発明の有益な効果は：本発明の構造が簡単で、操作が便利で、二つのゴミ箱を設置することにより、異なるタイプのゴミを捨てることができ、ゴミ袋とゴミ箱の内壁との間が緊密に密着し、ゴミを捨てる時にゴミ袋が外されなく、ゴミ袋に傷をもたらすことはしなく、その同時にゴミを収納する空間も増加でき、ゴミ袋を取り出すことが必要となる時に、コントローラーによりコントロールでき、ゴミ袋の開口を上へプッシュすると、ゴミ袋を取り出す時にゴミと接触しなく、普及する価値がある。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。